(57)【要約】      （修正有）【課題】雌コネクタの雄コネクタに対するロックが不用意に解除される可能性を低減する。【解決手段】雌コネクタＣ１は、メインボディ、基部１２０ｂおよびロックアーム１３０ｂを有する。メインボディは雄コネクタＣ２がＹ−Ｙ’方向に挿脱可能な接続穴１０１を有する。ロックアーム１３０ｂは、第１アーム１３１ｂがＹ方向に延び、ロック凸部１３４ｂが第１アーム１３１ｂの第１自由端部からＺ’方向側へ延びて雄コネクタＣ２のロック穴Ｃ２３に嵌合可能であり、中間部１３２bが第１自由端部からＺ方向側に延び、第２アーム１３３ｂが中間部１３２ｂからＹ’方向に延びている。ロック凸部１３４ｂが雄コネクタＣ２のロック穴Ｃ２３の縁部から脱方向に荷重を受けたときに、第１アーム１３１ｂ、中間部１３２ｂおよび第２アーム１３３ｂが、基部１２０ｂと縁部との間で圧縮される。【選択図】図５
2018195476.tif 000002
【特許請求の範囲】
【請求項１】
メインボディ、基部およびロックアームを有するボディを備えており、
前記メインボディは、雄コネクタが挿脱可能な接続穴と、前記雄コネクタの挿入方向に延びており且つ前記接続穴に連通したスリットとを有しており、
前記基部は、前記メインボディの前記スリットに対して前記雄コネクタの脱方向側の部分に設けられており、前記脱方向は前記挿入方向の反対方向であり、
前記ロックアームは、第１アームと、中間部と、第２アームと、ロック凸部とを有しており、
前記第１アームは、前記接続穴に隣接するように前記基部から前記スリット内を前記挿入方向に延びており且つ第１自由端部を有しており、
前記ロック凸部は、前記第１アームの前記第１自由端部から前記接続穴側へ延びており且つ前記雄コネクタのロック穴に嵌合可能または前記雄コネクタの被ロック凸部に前記脱方向側から当接可能となるように前記接続穴内に位置しており、
前記中間部は、前記第１アームの前記第１自由端部から前記接続穴から離反するように延びており、
前記第２アームは、前記中間部から前記脱方向に延び且つ前記第１アームに対して間隔があいており、
前記ロック凸部が前記雄コネクタの前記ロック穴の前記挿入方向側の縁部または前記雄コネクタの前記被ロック凸部から前記脱方向に荷重を受けたときに、少なくとも前記第１アーム、前記中間部および前記第２アームが、前記基部と前記雄コネクタの前記縁部または前記被ロック凸部との間で圧縮される雌コネクタ。
【請求項２】
請求項１記載の雌コネクタにおいて、
前記ロックアームは、少なくとも前記ロック凸部に設けられた前記挿入方向側の先端面をさらに有しており、
前記先端面は、前記ロック凸部の前記挿入方向側の端面と前記ロック凸部の前記接続穴側の端面とによって構成されたエッジである先端と、前記先端よりも前記接続穴から遠くに位置する遠端と、前記遠端から前記先端まで前記挿入方向に下り傾斜した傾斜面とを有しており、
前記ロック凸部の前記傾斜面が前記雄コネクタの前記ロック穴の前記縁部または前記雄コネクタの前記被ロック凸部から前記脱方向に荷重を受けたときに、前記傾斜面が前記脱方向に変位するように、少なくとも前記第１アーム、前記中間部および前記第２アームが、前記基部と前記雄コネクタの前記縁部または前記被ロック凸部との間で圧縮される雌コネクタ。
【請求項３】
請求項２記載の雌コネクタにおいて、
前記先端面は、前記ロック凸部および前記第１自由端部、または前記ロック凸部、前記第１自由端部および前記中間部に設けられており、
前記先端面の前記遠端は、前記第１自由端部または前記中間部に設けられており、
前記先端面の前記傾斜面は、前記ロック凸部の前記挿入方向側の端面である接触部を有しており、
前記ロック凸部の前記接触部が前記雄コネクタの前記ロック穴の前記縁部または前記雄コネクタの前記被ロック凸部から前記脱方向に荷重を受けたときに、前記傾斜面が前記脱方向に変位するように、少なくとも前記第１アーム、前記中間部および前記第２アームが、前記基部と前記雄コネクタの前記縁部または前記被ロック凸部との間で圧縮される雌コネクタ。
【請求項４】
請求項１〜３の何れかに記載の雌コネクタにおいて、
前記第２アームは第２自由端部を有しており、前記第２自由端部は前記第１アームまたは前記基部に間隙を有して対向しており、
前記第２自由端部が前記接続穴側に押下されることにより、前記第２アームは、前記第２自由端部が前記第１アームおよび前記基部の少なくとも一方に当接するまで弾性変形すると共に、前記第１アームは、前記基部を支点として前記第１自由端部および前記ロック凸部が前記接続穴から離反するように弾性変形する雌コネクタ。
【請求項５】
請求項１〜４の何れかに記載の雌コネクタと、
雄コネクタとを備えており、
前記雄コネクタは、ロック穴または被ロック凸部を有しており、
前記雄コネクタが前記雌コネクタの前記接続穴内に挿入された状態で、前記雌コネクタの前記ロック凸部が前記雄コネクタの前記ロック穴に嵌合する、または前記雌コネクタの前記ロック凸部が前記雄コネクタの前記被ロック凸部に前記脱方向側から当接しており、
前記雌コネクタの前記ロック凸部が前記雄コネクタの前記ロック穴の前記挿入方向側の縁部または前記雄コネクタの前記被ロック凸部から前記脱方向に荷重を受けたときに、前記雌コネクタの前記ロックアームの少なくとも前記第１アーム、前記中間部および前記第２アームが、前記ロックアームの前記基部と前記雄コネクタの前記縁部または前記被ロック凸部との間で圧縮されるコネクタの接続構造。
【発明の詳細な説明】
【技術分野】
【０００１】
本発明は、雌コネクタおよび雌コネクタと雄コネクタの接続構造に関する。
【背景技術】
【０００２】
下記特許文献１には、従来の雌コネクタと雄コネクタの接続構造が記載されている。雌コネクタは、接続穴が設けられた筒状の雌ボディと、この雌ボディの上側の壁部の外面に設けられた凸部とを有している。雄コネクタは、雌コネクタの接続穴内に挿脱される雄ボディと、この雄ボディに設けられたロックアームとを有している。なお、雄コネクタが雌コネクタの接続穴に挿入される方向を挿入方向と称し、雄コネクタが雌コネクタの接続穴から脱する方向（挿入方向の反対方向）を脱方向と称する。
【０００３】
ロックアームは、基部と、板状のバネ部と、操作レバーとを有している。基部は、雄ボディの脱方向の端部から立ち上がっている。バネ部は基部から挿入方向に延びており且つ雄ボディと間隙を有して対向配置されている。バネ部の自由端部にロック穴が設けられている。雄コネクタが雌コネクタの接続穴に挿入された状態で、雌コネクタの接続穴の上側の壁部および凸部がバネ部と雄ボディとの間の間隙に挿入され且つ凸部がバネ部のロック穴に嵌合する。操作レバーは、平面視略Ｕ字状であって、その二つの先端部がバネ部の自由端部の幅方向の両端に固定されている。操作レバーは、バネ部の自由端部から斜め上に傾斜しつつ脱方向に延びている。操作レバーの頂部が下方向に押下されると、基部を支点にバネ部の自由端部が上方に変位するように、ロックアームが弾性変形し、係合された雌コネクタの凸部とバネ部のロック穴との嵌合が解除されるようになっている。操作レバーの頂部が開放されると、ロックアームが復元し、バネ部の自由端部が下方に変位する。
【先行技術文献】
【特許文献】
【０００４】
【特許文献１】特開２０１５−１９５１２６号公報
【発明の概要】
【発明が解決しようとする課題】
【０００５】
雄コネクタのロックアームの板バネが脱方向に延びており、ロック穴が上下に変位可能な板バネの自由端部に設けられている。このため、雌コネクタが脱方向に引っ張られると、雌コネクタの凸部が雄コネクタの板バネのロック穴の脱方向側の縁部を押圧することによって、板バネの自由端部が上方に押し上げられ易く、雌コネクタの凸部と雄コネクタのロック穴との嵌合が不用意に解除される恐れがある。
【０００６】
本発明は、上記事情に鑑みて創案されたものであって、その目的とするところは、ロックが不用意に解除される可能性を低減することができる雌コネクタおよび雌コネクタと雄コネクタの接続構造を提供することにある。
【課題を解決するための手段】
【０００７】
上記課題を解決するために、本発明の一態様の雌コネクタは、ボディを備えている。ボディは、メインボディ、基部およびロックアームを有している。メインボディは、雄コネクタが挿脱可能な接続穴、およびスリットを有している。スリットは、雄コネクタの挿入方向に延びており且つ接続穴に連通している。基部は、メインボディのスリットに対して雄コネクタの脱方向側の部分に設けられている。脱方向は挿入方向の反対方向である。ロックアームは、第１アームと、中間部と、第２アームと、ロック凸部とを有している。第１アームは、接続穴に隣接するように基部からスリット内を挿入方向に延びており且つ第１自由端部を有している。ロック凸部は、第１アームの第１自由端部から接続穴側へ延びており且つ雄コネクタのロック穴に嵌合可能または雄コネクタの被ロック凸部に脱方向側から当接可能となるように接続穴内に位置している。中間部は、第１アームの第１自由端部から接続穴から離反するように延びている。第２アームは、中間部から脱方向に延び且つ第１アームに対して間隔があいている。ロック凸部が雄コネクタのロック穴の挿入方向側の縁部または雄コネクタの被ロック凸部から脱方向に荷重を受けたときに、少なくとも第１アーム、中間部および第２アームが、基部と雄コネクタの縁部または被ロック凸部との間で圧縮されるようになっている。
【０００８】
このような態様の雌コネクタによる場合、ロックアームの第１アームが基部から挿入方向に延び、中間部が第１アームの第１自由端部から接続穴から離反するように延び、第２アームが中間部から脱方向に延びているため、第１アーム、中間部および第２アームは全体として略横向きＵ字状となっている。以下、このロックアームの略横向きＵ字状の部分をロックアーム本体と称する。ロック凸部が脱方向に荷重を受けたときに、ロックアームの少なくともロックアーム本体が、基部と雄コネクタの縁部または被ロック凸部との間で圧縮されることによって、当該荷重が吸収される。そのため、前記荷重によって、ロックアームのロック凸部が接続穴から離反するように変位し難くなり、その結果として、ロックアームのロック凸部のロック穴に対する嵌合（ロック）または被ロック凸部に対する当接（ロック）が不用意に解除され難くなる。
【０００９】
ロックアームは、少なくともロック凸部に設けられた挿入方向側の先端面をさらに有する構成とすることが可能である。先端面は、先端、遠端および傾斜面を有する構成とすることが可能である。先端は、ロック凸部の挿入方向側の端面とロック凸部の接続穴側の端面とによって構成されたエッジとすることが可能である。遠端は先端よりも接続穴から遠くに位置する構成とすることが可能である。傾斜面は、遠端から先端まで挿入方向に下り傾斜した構成とすることが可能である。ロック凸部の傾斜面が雄コネクタのロック穴の縁部または雄コネクタの被ロック凸部から脱方向に荷重を受けたときに、傾斜面が脱方向に変位するように、少なくとも第１アーム、中間部および第２アームが、基部と雄コネクタの縁部または被ロック凸部との間で圧縮される構成とすることが可能である。
【００１０】
このような態様の雌コネクタによる場合、ロック状態におけるロックアームのロック凸部のロック穴に対する嵌合（ロック）または被ロック凸部に対する当接（ロック）がさらに不用意に解除され難くなる。ロック凸部の傾斜面が脱方向に荷重を受けたときに、傾斜面が脱方向に変位するように、ロックアームの少なくともロックアーム本体が、基部と雄コネクタの縁部または被ロック凸部との間で圧縮されるからである。
【００１１】
先端面は、ロック凸部および第１自由端部に設けられていても良いし、ロック凸部、第１自由端部および中間部に設けられていても良い。前者の場合、先端面の遠端は第１自由端部に、後者の場合、先端面の遠端は中間部に設けられた構成とすることが可能である。何れの場合も、先端面の傾斜面は、ロック凸部の挿入方向側の端面である接触部を有する構成とすることが可能である。ロック凸部の接触部が雄コネクタのロック穴の縁部または雄コネクタの被ロック凸部から脱方向に荷重を受けたときに、傾斜面が脱方向に変位するように、少なくとも第１アーム、中間部および第２アームが、基部と雄コネクタの縁部または被ロック凸部との間で圧縮される構成とすることが可能である。
【００１２】
このような態様の雌コネクタによる場合、ロック状態におけるロックアームのロック凸部のロック穴に対する嵌合（ロック）または被ロック凸部に対する当接（ロック）がさらに不用意に解除され難くなる。傾斜面が、ロック凸部および第１自由端部、またはロック凸部、第１自由端部および中間部に設けられている。このため、ロック凸部の傾斜面の接触部が脱方向に荷重を受けたときに、ロックアームの少なくともロックアーム本体が、基部と雄コネクタの縁部または被ロック凸部との間で圧縮され易くなる。
【００１３】
第２アームは第２自由端部を有し、第２自由端部は第１アームまたは基部に間隙を有して対向した構成とすることが可能である。この場合、第２自由端部が接続穴側に押下されることにより、第２アームは、第２自由端部が第１アームおよび基部の少なくとも一方に当接するまで弾性変形すると共に、第１アームは、基部を支点として第１自由端部およびロック凸部が接続穴から離反するように弾性変形する構成とすることが可能である。
【００１４】
このような態様の雌コネクタによる場合、第２自由端部が第１アームおよび基部の少なくとも一方に当接するので、それ以上第２アームが第１アームおよび基部の少なくとも一方側に弾性変形するのを防止することができる。
【００１５】
本発明の一態様の雌コネクタと雄コネクタの接続構造は、上記した何れかの態様の雌コネクタと、雄コネクタとを備えた構成とすることが可能である。雄コネクタは、ロック穴または被ロック凸部を有する構成とすることが可能である。雄コネクタが雌コネクタの接続穴内に挿入された状態で、雌コネクタのロック凸部が雄コネクタのロック穴に嵌合する、または雌コネクタのロック凸部が雄コネクタの被ロック凸部に脱方向側から当接する構成とすることが可能である。雌コネクタのロック凸部が雄コネクタのロック穴の挿入方向側の縁部または雄コネクタの被ロック凸部から脱方向に荷重を受けたときに、雌コネクタのロックアームの少なくとも第１アーム、中間部および第２アームが、ロックアームの基部と雄コネクタの縁部または被ロック凸部との間で圧縮される構成とすることが可能である。
【００１６】
雌コネクタのロックアームの第２アームの第２自由端部が接続穴側に押下されることにより、ロックアームの第１アームの第１自由端部およびロック凸部が接続穴から離反するようにロックアームが基部を支点として回動し、これにより雌コネクタのロック凸部と雄コネクタのロック穴との嵌合または雌コネクタのロック凸部と雄コネクタの被ロック凸部との当接が解除される構成とすることが可能である。
【図面の簡単な説明】
【００１７】
【図１】本発明の実施例１に係る雌コネクタの正面、平面および右側面から表した斜視図である。
【図２Ａ】前記雌コネクタの図１中の２Ａ−２Ａ断面図である。
【図２Ｂ】前記雌コネクタの図１中の２Ｂ−２Ｂ断面図である。
【図２Ｃ】前記雌コネクタの図１中の２Ｃ−２Ｃ断面図である。
【図２Ｄ】前記雌コネクタの図１中の２Ｄ−２Ｄ断面図である。
【図２Ｅ】前記雌コネクタの図１中の２Ｅ−２Ｅ断面図である。
【図３】前記雌コネクタの第１ボディの正面、平面および左側面から表した斜視図である。
【図４Ａ】前記雌コネクタの第２ボディの正面、平面および右側面から表した斜視図である。
【図４Ｂ】前記雌コネクタの第２ボディの背面、平面および左側面から表した斜視図である。
【図５】本発明の実施例１に係る雌コネクタと雄コネクタとの接続状態を示す図２Ｄに対応する断面図である。
【図６】本発明の実施例２に係る雌コネクタと雄コネクタとの接続状態を示す図５に対応する断面図である。
【発明を実施するための形態】
【００１８】
以下、本発明の実施例１および２について説明する。
【実施例１】
【００１９】
以下、本発明の実施例１を含む複数の実施例に係る雌コネクタＣ１について図１〜図５を参照しつつ説明すると共に、本発明の実施例１を含む複数の実施例に係る雌コネクタＣ１と雄コネクタＣ２の接続構造について図５を参照しつつ説明する。図１〜図５には、実施例１に係る雌コネクタＣ１が示されており、図５には実施例１に係る雌コネクタＣ１と雄コネクタＣ２の接続構造が示されている。なお、図１〜図２Ｄおよび図５に示すＹ−Ｙ’方向は、雄コネクタＣ２の雌コネクタＣ１の接続穴１０１に対する挿脱方向である。Ｙ−Ｙ’方向のうちのＹ方向は、雄コネクタＣ２の雌コネクタＣ１の接続穴１０１に対する挿入方向であり、Ｙ’方向は雄コネクタＣ２の雌コネクタＣ１の接続穴１０１に対する脱方向である。図１〜図２Ａ、図２Ｄ〜図２Ｅおよび図５に示すＺ−Ｚ’方向は、Ｙ−Ｙ’方向に直交する方向である。図１、図２Ｂ、図２Ｃおよび図２Ｅに示すＸ−Ｘ’方向は、Ｙ−Ｙ’方向およびＺ−Ｚ’方向に直交する方向である。
【００２０】
雌コネクタＣ１はボディ１００を備えている。ボディ１００は、雄コネクタＣ２がＹ−Ｙ’方向において挿脱可能な接続穴１０１を有している。また、ボディ１００は、絶縁樹脂で構成された第１ボディ１００ａおよび第２ボディ１００ｂを有している。
【００２１】
第１ボディ１００ａは、第１収容部１１０ａと、第１当接部１２０ａと、第２当接部１３０ａとを有している。第１収容部１１０ａは、第１当接部１２０ａおよび第２当接部１３０ａによって区画されている。例えば、第１収容部１１０ａは、図１〜図３に示されるようにＺ−Ｚ’方向に延び且つ少なくともＺ方向に開放された有底穴とすることが可能である。または、第１収容部１１０ａは、第１ボディ１００ａをＺ−Ｚ’方向に貫通する貫通孔とすることも可能である。何れの場合も、第１収容部１１０ａ内に第２ボディ１００ｂがＺ方向側から挿入され、第１ボディ１００ａによってＹ−Ｙ’方向において位置固定されている。第２ボディ１００ｂは第１収容部１１０ａに対して挿脱可能とすることが可能であるが、第１収容部１１０ａに一度固定すると取り外せない構成とすることも可能である。
【００２２】
第１当接部１２０ａは、第１収容部１１０ａよりもＹ’方向側に位置しており且つ第１収容部１１０ａに収容された第２ボディ１００ｂにＹ’方向側から当接している。この第１当接部１２０ａにより、第２ボディ１００ｂはＹ’方向への移動が規制されている。第２当接部１３０ａは、第１収容部１１０ａよりもＹ方向側に位置しており且つ第１収容部１１０ａに収容された第２ボディ１００ｂにＹ方向側から当接している。この第２当接部１３０ａにより、第２ボディ１００ｂはＹ方向への移動が規制されている。第１当接部１２０ａおよび第２当接部１３０ａは、前述のとおり第２ボディ１００ｂに当接するものであれば良く、例えば、それぞれが壁（図１Ａ〜図３参照）、凸部または爪等とすることができる。
【００２３】
第２ボディ１００ｂはメインボディ１１０ｂを有している。メインボディ１１０ｂは、接続穴本体１１１ｂを有している。接続穴本体１１１ｂは、接続穴１０１の少なくとも一部を構成する孔であって、メインボディ１１０ｂをＹ−Ｙ’方向に貫通している。第１当接部１２０ａが壁である場合、第１当接部１２０ａに開口１２１ａが設けられていても良い。この開口１２１ａは、第１当接部１２０ａをＹ−Ｙ’方向に貫通しており且つ第２ボディ１００ｂの接続穴本体１１１ｂのＹ’方向側で接続穴本体１１１ｂに連通している。なお、開口１２１ａが省略される場合、第１当接部１２０ａは、凸部や爪など（壁以外）とすると良い。第２当接部１３０ａが壁である場合、第２当接部１３０ａにＹ’方向に開放された第１穴部１３１ａが設けられていても良い。第１穴部１３１ａは第２ボディ１００ｂの接続穴本体１１１ｂのＹ方向側で接続穴本体１１１ｂに連通している。この第２当接部１３０ａには、第２穴部１３２ａがさらに設けられていても良い。第２穴部１３２ａは、第１穴部１３１ａのＹ方向側で第１穴部１３１ａに連通する穴である。
【００２４】
接続穴１０１は、例えば、下記Ａ）〜Ｆ）の何れかとすることが可能である。
Ａ）接続穴１０１は接続穴本体１１１ｂのみで構成されている。この場合、開口１２１ａ、第１穴部１３１ａおよび第２穴部１３２ａは省略される。
Ｂ）接続穴１０１は接続穴本体１１１ｂおよび開口１２１ａで構成されている。この場合、第１穴部１３１ａおよび第２穴部１３２ａは省略される。
Ｃ）接続穴１０１は接続穴本体１１１ｂおよび第１穴部１３１ａで構成されている。この場合、開口１２１ａおよび第２穴部１３２ａは省略される。
Ｄ）接続穴１０１は接続穴本体１１１ｂ、開口１２１ａおよび第１穴部１３１ａで構成されている。この場合、第２穴部１３２ａは省略される。
Ｅ）接続穴１０１は接続穴本体１１１ｂ、第１穴部１３１ａおよび第２穴部１３２ａで構成されている。この場合、開口１２１ａは省略される。
Ｆ）接続穴１０１は接続穴本体１１１ｂ、開口１２１ａ、第１穴部１３１ａおよび第２穴部１３２ａで構成されている（図１〜図５参照）。
【００２５】
接続穴１０１の内形は雄コネクタＣ２が接続穴１０１内にＹ−Ｙ’方向に挿脱できるものであれば良い。接続穴１０１のＹ−Ｙ’方向における少なくとも一部の内形寸法は、雄コネクタＣ２のＹ−Ｙ’方向における少なくとも一部の外形寸法に対応しており、雄コネクタＣ２のＹ−Ｙ’方向における少なくとも一部が接続穴１０１内で保持される構成とすることが可能である。例えば、接続穴本体１１１ｂの内形寸法が雄コネクタＣ２の外形寸法に対応しており、雄コネクタＣ２が接続穴本体１１１ｂ内で保持される構成とすることが可能である。第２当接部１３０ａに第２穴部１３２ａが設けられている場合、第２穴部１３２ａの内形寸法が雄コネクタＣ２の先端部Ｃ２１の外形寸法に対応しており、雄コネクタＣ２の先端部Ｃ２１が第２穴部１３２ａ内で保持される構成とすることが可能である。第１当接部１２０ａに開口１２１ａが設けられている場合、開口１２１ａの内形寸法が雄コネクタＣ２の遠部Ｃ２２の外形寸法に対応しており、雄コネクタＣ２の遠部Ｃ２２が開口１２１ａ内で保持される構成とすることが可能である。なお、遠部Ｃ２２は、雄コネクタＣ２の先端部Ｃ２１からＹ’方向に遠い部分である。
【００２６】
メインボディ１１０ｂはスリット１１２ｂをさらに有している。スリット１１２ｂは、メインボディ１１０ｂの接続穴本体１１１ｂの周壁に設けられており且つＹ方向に延びている。スリット１１２ｂは接続穴本体１１１ｂに連通している。
【００２７】
第２ボディ１００ｂは基部１２０ｂをさらに有している。基部１２０ｂは、メインボディ１１０ｂのスリット１１２ｂに対してＹ’方向側の部分に設けられている。より具体的には、基部１２０ｂは、メインボディ１１０ｂの接続穴本体１１１ｂの周壁のスリット１１２ｂに対してＹ’方向側に位置する部分である。
【００２８】
第２ボディ１００ｂはロックアーム１３０ｂをさらに有している。ロックアーム１３０ｂは、ロックアーム本体を有し、ロックアーム本体が、第１アーム１３１ｂと、中間部１３２ｂと、第２アーム１３３ｂとを有している。ロックアーム１３０ｂのロックアーム本体は絶縁樹脂または一枚の金属板で構成されていても良い。または、ロックアーム１３０ｂの第１アーム１３１ｂ、中間部１３２ｂおよび第２アーム１３３ｂのうちの少なくとも一つが絶縁樹脂で構成され、残りが金属で構成されていても良い。いずれの場合も、ロックアーム１３０ｂのロックアーム本体は、全体としてＹ’方向に開放されたＺ−Ｚ’方向の断面視横向きＵ字状である。なお、本発明において、断面視横向きＵ字状は、断面視横向きＶ字状および断面視横向き凹字状を含むものとする。
【００２９】
第１アーム１３１ｂは、接続穴本体１１１ｂに隣接するように基部１２０ｂからスリット１１２ｂ内をＹ方向に延びている。第１アーム１３１ｂは、メインボディ１１０ｂのスリット１１２ｂのＸ方向の縁およびＸ’方向の縁の間に間隙を有している。第１アーム１３１ｂは、第１固定端部１３１ｂ１と、第１自由端部１３１ｂ２を有している。第１固定端部１３１ｂ１は基部１２０ｂに一体的に連接または固定されている。第１アーム１３１ｂは、第１自由端部１３１ｂ２が接続穴本体１１１ｂから離れるように（Ｚ方向に変位するように）基部１２０ｂを支点として弾性変形可能である。
【００３０】
中間部１３２ｂは、第１アーム１３１ｂの第１自由端部１３１ｂ２から接続穴本体１１１ｂから離反するように（Ｚ方向側に）延びている。なお、中間部１３２ｂが、金属板で構成されている場合、中間部１３２ｂは、Ｚ方向およびＹ’方向側に折り返されていると良い。
【００３１】
第２アーム１３３ｂは、中間部１３２ｂからＹ’方向に延びており且つ第１アーム１３１ｂに対してＺ−Ｚ’方向に間隔があいている。第２アーム１３３ｂは、第２固定端部１３３ｂ１と、第２自由端部１３３ｂ２を有している。第２固定端部１３３ｂ１は、中間部１３２ｂに一体的に連接または固定されている。第２自由端部１３３ｂ２（力点）が接続穴１０１側（Ｚ’方向側）に押下されることによって、ロックアーム１３０ｂは基部１２０ｂを支点としてＺ−Ｚ’方向に回動可能である。
【００３２】
第２自由端部１３３ｂ２は、第１アーム１３１ｂおよび／または基部１２０ｂに対してＺ−Ｚ’方向に間隙を有して対向配置されていると良い。この場合、第２アーム１３３ｂは、第２自由端部１３３ｂ２が第１アーム１３１ｂおよび／または基部１２０ｂに近づくように（Ｚ’方向に変位するように）弾性変形可能な構成とすることが可能である。第２アーム１３３ｂは、第２自由端部１３３ｂ２が第１アーム１３１ｂおよび／または基部１２０ｂに当接するまで弾性変形可能な構成とすることが可能であるが、これに限定されるものではない。すなわち、第２アーム１３３ｂが最大まで弾性変形したとき、第２自由端部１３３ｂ２が第１アーム１３１ｂおよび／または基部１２０ｂに対してＺ−Ｚ’方向において間隙を有する構成とすることが可能である。
【００３３】
または、第２アーム１３３ｂのＹ−Ｙ’方向の寸法を第１アーム１３１ｂおよび基部１２０ｂのＹ−Ｙ’方向の寸法の和よりも大きくし、第２自由端部１３３ｂ２が第１アーム１３１ｂまたは基部１２０ｂに対してＺ−Ｚ’方向において対向しない構成としても良い。この場合も、第２アーム１３３ｂは、第２自由端部１３３ｂ２がＺ’方向に変位するように弾性変形可能な構成となっている。なお、第２アーム１３３ｂは弾性変形不能な構成とすることも可能である。
【００３４】
ロックアーム１３０ｂはロック凸部１３４ｂをさらに有している。ロック凸部１３４ｂは、第１アーム１３１ｂの第１自由端部１３１ｂ２から接続穴本体１１１ｂ側（Ｚ’方向側）へ延びている。すなわち、ロック凸部１３４ｂは、断面視横向きＵ字状のロックアーム本体の頂部から接続穴本体１１１ｂ側（Ｚ’方向側）へ延びている。ロック凸部１３４ｂは、ロック位置に位置している。ロック位置は、ロック凸部１３４ｂが、雌コネクタＣ１の接続穴１０１内に挿入された雄コネクタＣ２のロック穴Ｃ２３に嵌合可能となる接続穴本体１１１ｂ内の位置である。ロック凸部１３４ｂは、第１アーム１３１ｂの第１自由端部１３１ｂ２のＺ方向への変位に伴って、ロック位置から変位位置にかけてＺ方向に変位する。変位位置は、ロック位置よりもＺ方向側に位置し且つロック凸部１３４ｂと雄コネクタＣ２のロック穴Ｃ２３との嵌合が解除される位置である。
【００３５】
ロック凸部１３４ｂは、絶縁樹脂または金属等で構成された多角柱（図２Ａ〜図２Ｅおよび図４Ａ〜図４Ｂでは四角柱）、円柱、板状、Ｚ−Ｚ’方向における断面視略半円形または半球状等の凸部である。ロック凸部１３４ｂは、例えば、以下の１）〜４）の何れかの構成とすることが可能である。
１）第１アーム１３１ｂが絶縁樹脂で構成されている場合、ロック凸部１３４ｂは、第１アーム１３１ｂの第１自由端部１３１ｂ２に一体的に連接された絶縁樹脂で構成されている。
２）第１アーム１３１ｂが絶縁樹脂で構成されている場合、ロック凸部１３４ｂは、第１アーム１３１ｂの第１自由端部１３１ｂ２に固定された金属で構成されている。
３）第１アーム１３１ｂが金属板で構成されている場合、ロック凸部１３４ｂは、第１アーム１３１ｂの第１自由端部１３１ｂ２の一部をカットし、Ｚ’方向側に折り曲げた金属板で構成されている。
４）第１アーム１３１ｂが金属板で構成されている場合、ロック凸部１３４ｂは、第１アーム１３１ｂの第１自由端部１３１ｂ２に固定された絶縁樹脂で構成されている。
【００３６】
ロック凸部１３４ｂは傾斜面１３４ｂ１を有していても良い。傾斜面１３４ｂ１は、ロック凸部１３４ｂのＹ’方向側の端面であって、当該端面のＺ方向の端からＺ’方向の端へＹ方向に下り傾斜している。雄コネクタＣ２が雌コネクタＣ１の接続穴１０１内に挿入されるとき、雄コネクタＣ２のロック穴Ｃ２３のＹ方向側の縁部が傾斜面１３４ｂ１を押圧することによって、ロックアーム１３０ｂを基部１２０ｂを支点として回動させ易くなっている。なお、傾斜面１３４ｂ１は省略可能である。
【００３７】
ロックアーム１３０ｂはＹ方向側の先端面１３５ｂをさらに有している。先端面１３５ｂは、先端１３５ｂ１と、遠端１３５ｂ２と、傾斜面１３５ｂ３を有する構成とすることが可能である。先端１３５ｂ１は、ロック凸部１３４ｂのＹ方向側の端面とロック凸部１３４ｂの接続穴本体１１１ｂ側（Ｚ’方向側）の端面とによって構成されたエッジである。遠端１３５ｂ２は、先端面１３５ｂにおいて先端１３５ｂ１よりも接続穴本体１１１ｂから遠く（Ｚ方向側）に位置している。傾斜面１３５ｂ３は、遠端１３５ｂ２から先端１３５ｂ１までＹ方向に下り傾斜している。
【００３８】
先端面１３５ｂはさらに以下の１）〜３）の何れかの構成とすることが可能である。
１）先端面１３５ｂはロック凸部１３４ｂのみに設けられている。すなわち、先端面１３５ｂはロック凸部１３４ｂのＹ方向側の端面である。この場合、遠端１３５ｂ２は、先端面１３５ｂにおけるロック凸部１３４ｂと第１アーム１３１ｂの第１自由端部１３１ｂ２との境界とすることが可能であるが、この境界よりもＺ’方向側に位置していても良い。傾斜面１３５ｂ３は雄コネクタＣ２のロック穴Ｃ２３のＹ方向側の縁部に食い込むように当接可能である。
２）先端面１３５ｂはロック凸部１３４ｂおよび第１アーム１３１ｂの第１自由端部１３１ｂ２に設けられている。すなわち、先端面１３５ｂはロック凸部１３４ｂおよび第１自由端部１３１ｂ２のＹ方向側の端面である。この場合、ロック凸部１３４ｂのＹ方向側の端面および第１自由端部１３１ｂ２のＹ方向側の端面は面一である。遠端１３５ｂ２は、先端面１３５ｂにおける第１アーム１３１ｂの第１自由端部１３１ｂ２と中間部１３２ｂの境界とすることが可能であるが、この境界よりもＺ’方向側に位置していても良い。傾斜面１３５ｂ３は、ロック凸部１３４ｂのＹ方向側の端面である接触部１３５ｂ３１を有し、接触部１３５ｂ３１が雄コネクタＣ２のロック穴Ｃ２３のＹ方向側の縁部に食い込むように当接可能である。
３）先端面１３５ｂは、図１〜図５に示すように、ロック凸部１３４ｂ、第１自由端部１３１ｂ２および中間部１３２ｂに設けられている。すなわち、先端面１３５ｂはロック凸部１３４ｂ、第１自由端部１３１ｂ２および中間部１３２ｂのＹ方向側の端面である。この場合、ロック凸部１３４ｂのＹ方向側の端面と、第１自由端部１３１ｂ２のＹ方向側の端面と、中間部１３２ｂのＹ方向側の端面は面一である。遠端１３５ｂ２は、先端面１３５ｂにおける中間部１３２ｂのＺ方向の端とすることが可能であるが、この端よりもＺ’方向側に位置していても良い。傾斜面１３５ｂ３は前記接触部１３５ｂ３１を有する。なお、傾斜面１３５ｂ３の長さ寸法は、１）が最も小さく、３）が最も大きく、２）が１）および３）の間となる。
【００３９】
傾斜面１３５ｂ３の傾斜角は、ロック凸部１３４ｂのＺ’方向側の面を基準として８０〜９０°とすることが可能であるが、これに限定されるものではない。なお、先端面１３５ｂが傾斜面１３５ｂ３を有している必要はない。例えば、先端面１３５ｂはＺ−Ｚ’方向に平行な垂直面やＹ’方向に凹んだ円弧面とすることが可能である。
【００４０】
雄コネクタＣ２が雌コネクタＣ１の接続穴１０１内に挿入された状態で、雄コネクタＣ２がＹ’方向（脱方向）へ引っ張られると、雄コネクタＣ２のロック穴Ｃ２３のＹ方向側の縁部がロックアーム１３０ｂのロック凸部１３４ｂをＹ’方向に押圧し、これによりロックアーム１３０ｂのロック凸部１３４ｂに対してＹ’方向の荷重がかかる。ロックアーム１３０ｂの先端面１３５ｂが傾斜面１３５ｂ３を有していない場合、ロック凸部１３４ｂに対して前記荷重がかかるときに、ロックアーム１３０ｂの少なくともロックアーム本体が雌コネクタＣ１の基部１２０ｂと雄コネクタＣ２のＹ方向側の縁部との間で圧縮され、弾性変形する。ロックアーム１３０ｂの先端面１３５ｂが傾斜面１３５ｂ３を有する場合、ロック凸部１３４ｂに対して前記荷重がかかるときに、ロックアーム１３０ｂの少なくともロックアーム本体が、傾斜面１３５ｂ３がＹ’方向に変位するように、雌コネクタＣ１の基部１２０ｂと雄コネクタＣ２のＹ方向側の縁部との間で圧縮され、弾性変形する。何れの場合も、少なくともロックアーム本体の弾性変形によって、前記荷重が吸収される。すなわち、前記荷重が、ロックアーム１３０ｂの第１アーム１３１ｂの第１自由端部１３１ｂ２をＺ方向に変位させ、これにより第１アーム１３１ｂを基部１２０ｂを支点として弾性変形させるように作用し難くなるので、ロックアーム１３０ｂのロック凸部１３４ｂと雄コネクタＣ２のロック穴Ｃ２３との嵌合が維持され易くなる。なお、前記荷重によりロックアーム１３０ｂ全体が弾性変形する構成としても構わない。
【００４１】
第１ボディ１００ａの第２当接部１３０ａが第１穴部１３１ａを有している場合、雌コネクタＣ１はシール２００をさらに備えた構成とすることが可能である。シール２００は、シリコンゴム等の弾性体で構成されており且つ接続穴１０１内に挿入された雄コネクタＣ２の先端部Ｃ２１にＹ−Ｙ’方向に直交する方向から密着するように第１穴部１３１ａ内に収容されている。シール２００は、円環状（図２Ａ〜図２Ｅ参照）または多角環状とすることが可能である。この場合、シール２００の外形寸法は、第１穴部１３１ａの外形寸法と略同じまたは若干大きい。これにより、シール２００の外周面が第１穴部１３１ａの周壁面に密着している。シール２００の内形寸法は、雄コネクタＣ２の先端部Ｃ２１の外形寸法と略同じまたは若干小さい。このため、図５に示されるようにシール２００内に雄コネクタＣ２の先端部Ｃ２１が挿入可能であり、且つシール２００の内周面が挿入された雄コネクタＣ２の先端部Ｃ２１の外周面に密着可能になっている。なお、第１穴部１３１ａは、シール２００を収容するのではなく、雄コネクタＣ２の先端部Ｃ２１を保持する構成とすることが可能である。この場合、第１穴部１３１ａの内形寸法は、雄コネクタＣ２の先端部Ｃ２１の外形寸法に対応していると良い。
【００４２】
雌コネクタＣ１がシール２００を備えている場合、第２ボディ１００ｂのメインボディ１１０ｂは、少なくとも一つの当て止め部１４０ｂをさらに有する構成とすることが可能である。少なくとも一つの当て止め部１４０ｂは、接続穴本体１１１ｂの周壁に設けられた突起、突脈または周壁のＹ方向の端部（換言すると、接続穴本体１１１ｂのＹ方向の縁部）であって、シール２００に対してＹ’方向側に位置し、当該シール２００にＹ’方向側から間隙を有して対向または当接している。この当て止め部１４０ｂによって、シール２００のＹ’方向側への移動が規制される。なお、図２Ａ〜図２Ｅおよび図４Ａ〜図４Ｂでは、当て止め部１４０ｂは、接続穴本体１１１ｂの周壁のＹ方向の端部から当該周壁の内側に延びたＺ−Ｚ’方向において断面視略Ｕ字状の突脈である。なお、シール２００および当て止め部１４０ｂは省略可能である。
【００４３】
雌コネクタＣ１は少なくとも一つの端子３００をさらに備えている。少なくとも一つの端子３００は、当該端子３００の接触部３１０が接続穴１０１内に挿入された雄コネクタＣ２の端子Ｃ２４に接触可能となるようにボディ１００の接続穴１０１内に収容されていれば良い。なお、図１〜図５では、雌コネクタＣ１は、絶縁樹脂製のホルダ４００と、金属製のシェル５００とをさらに備えている。端子３００は複数であって、ホルダ４００に保持され、このホルダ４００および端子３００が、シェル５００内に収容保持されている。このシェル５００は、その一部が第２ボディ１００ｂの接続穴本体１１１ｂ内に位置し且つシール２００内に挿通されるように、第１ボディ１００ａの第２穴部１３２ａに連通する筒部内に収容保持されている。なお、少なくとも一つの端子３００は、第２ボディ１００ｂの接続穴本体１１１ｂ内に位置するように、第１ボディ１００ａに直接保持されていても良い。この場合、ホルダ４００およびシェル５００は省略される。
【００４４】
雌コネクタＣ１は、端子３００の数に応じた数のケーブル６００をさらに備えていても良い。端子３００が一つである場合、ケーブル６００は端子３００の接続部３２０に接続されている。端子３００が複数である場合、ケーブル６００は、端子３００の数と同じ数であって、端子３００の接続部３２０に各々接続されている。少なくとも一つのケーブル６００は、第１ボディ１００ａの前記筒部を通じて第１ボディ１００ａ外に導出している。ケーブル６００は図１〜図２Ｅに示されるように束ねられ、複合ケーブルとすることが可能である。この場合、ケーブル６００は、筒状のシールド導体に覆われ、このシールド導体が筒状の外側絶縁に覆われている。なお、ケーブル６００は省略可能であり、この場合、少なくとも一つの端子３００の接続部３２０はボディ１００外に配置され、図示しない基板の電極に接続可能な構成とすることも可能である。
【００４５】
以下、雌コネクタＣ１の組み立て手順について詳しく説明する。上記したように少なくとも一つの端子３００を保持した第１ボディ１００ａを用意し、且つ第２ボディ１００ｂを用意する。この第２ボディ１００ｂを第１ボディ１００ａの第１収容部１１０ａ内にＺ方向側から挿入し、収容させる（以下、収容時）。すると、第１ボディ１００ａの第１当接部１２０ａ、第２当接部１３０ａが第２ボディ１００ｂにＹ’方向側、Ｙ方向側から各々当接する。このようにして第２ボディ１００ｂが第１ボディ１００ａにＹ−Ｙ’方向において位置規制される。第１当接部１２０ａが開口１２１ａを有する場合、前記収容時に第２ボディ１００ｂの接続穴本体１１１ｂが開口１２１ａに連通する。第２当接部１３０ａが第１穴部１３１ａを有する場合、前記収容時に第２ボディ１００ｂの接続穴本体１１１ｂが第１穴部１３１ａに連通する。雌コネクタＣ１がシール２００を備えている場合、第２ボディ１００ｂを第１ボディ１００ａの第１収容部１１０ａ内に収容させる前に、第１ボディ１００ａの第１穴部１３１ａ内にＹ’方向側からシール２００を挿入する。そして、前記収容時において、第２ボディ１００ｂの少なくとも一つの当て止め部１４０ｂがシール２００のＹ’方向側に位置し、第２ボディ１００ｂの接続穴本体１１１ｂが第１穴部１３１ａに連通する。以上のとおりに雌コネクタＣ１が組み立てられる。
【００４６】
以下、雌コネクタＣ１を雄コネクタＣ２に接続する手順について詳しく説明する。雌コネクタＣ１の接続穴１０１内に雄コネクタＣ２を挿入する。このとき、雄コネクタＣ２のロック穴Ｃ２３のＹ方向側の縁部が雌コネクタＣ１のロックアーム１３０ｂのロック凸部１３４ｂにＹ’方向側から押圧し、ロックアーム１３０ｂをＺ方向に押し上げる。これにより、ロックアーム１３０ｂが基部１２０ｂを支点にＺ方向に弾性変形する。ロックアーム１３０ｂのロック凸部１３４ｂが雄コネクタＣ２のＹ方向側の縁部を乗り越え、ロック穴Ｃ２３に嵌合する（ロックする）。雄コネクタＣ２が接続穴１０１内に挿入された状態で、雌コネクタＣ１の少なくとも一つの端子３００が雄コネクタＣ２の端子Ｃ２４に接触し、接続される。このようにして雌コネクタＣ１が雄コネクタＣ２に接続され、雌コネクタＣ１と雄コネクタＣ２との接続構造が構成される。なお、雄コネクタＣ２が接続穴１０１内に挿入された状態で、上記のとおり、挿入された雄コネクタＣ２のＹ−Ｙ’方向における少なくとも一部が接続穴１０１内で保持されると良いが、これに限定されるものではない。
【００４７】
以下、雌コネクタＣ１と雄コネクタＣ２との接続を解除する手順について詳しく説明する。ロックアーム１３０ｂの第２アーム１３３ｂの第２自由端部１３３ｂ２（力点）を接続穴１０１側（Ｚ’方向側）に押下する。これにより、ロックアーム１３０ｂが基部１２０ｂを支点としてＺ方向に回動する。より具体的には、前記押下により、ロックアーム１３０ｂの少なくとも第１アーム１３１ｂが基部１２０ｂを支点として弾性変形し、第１アーム１３１ｂの第１自由端部１３１ｂ２およびロック凸部１３４ｂ（作用点）がＺ方向に変位する。第２アーム１３３ｂが弾性変形可能である場合、第１アーム１３１ｂの弾性変形と共に、第２アーム１３３ｂは、第２アーム１３３ｂの第２自由端部１３３ｂ２がＺ’方向に変位するように弾性変形する。ロック凸部１３４ｂがＺ方向に変位すると、ロックアーム１３０ｂのロック凸部１３４ｂと雄コネクタＣ２のロック穴Ｃ２３との嵌合が解除される。この状態で、雄コネクタＣ２をＹ’方向（脱方向）へ引き抜く。これにより、雌コネクタＣ１と雄コネクタＣ２との接続が解除される。
【００４８】
以上のような雌コネクタＣ１および接続構造は、以下の技術的特徴および効果を奏する。１）雌コネクタＣ１と雄コネクタＣ２との接続状態で、雄コネクタＣ２がＹ’方向に引っ張られたとしても、ロックアーム１３０ｂのロック凸部１３４ｂと雄コネクタＣ２のロック穴Ｃ２３との嵌合（ロック）が不用意に解除され難い。その理由は次のとおりである。雄コネクタＣ２がＹ’方向に引っ張られるときに、ロックアーム１３０ｂのロック凸部１３４ｂにかかるＹ’方向の荷重が、ロックアーム１３０ｂの少なくともロックアーム本体が雌コネクタＣ１の基部１２０ｂと雄コネクタＣ２のＹ方向側の縁部との間で圧縮されることによって吸収される。換言すると、前記荷重が、ロックアーム１３０ｂの第１アーム１３１ｂの第１自由端部１３１ｂ２がＺ方向に変位させるように作用し難くなる。
【００４９】
２）雌コネクタＣ１は、Ｙ’方向の引っ張り強度が向上している。その理由は以下のとおりである。第２ボディ１００ｂは第１ボディ１００ａの第１、第２当接部１２０ａ、１３０ａによってＹ−Ｙ’方向において位置固定されているため、前記接続状態で、雄コネクタＣ２がＹ’方向に引っ張られ、ロックアーム１３０ｂのロック凸部１３４ｂにＹ’方向の荷重がかかったとしても、第２ボディ１００ｂが第１ボディ１００ａからＹ’方向に脱落する可能性が低減される。また、雌コネクタＣ１が、シール２００を備えている場合、前記接続状態でシール２００が雄コネクタＣ２の先端部Ｃ２１の外周面に密着する。雄コネクタＣ２がＹ’方向に引っ張られるとき、シール２００にもＹ’方向の荷重がかかるが、この荷重はシール２００を介して第２ボディ１００ｂの少なくとも一つの当て止め部１４０ｂにもかかる。第２ボディ１００ｂは、第１ボディ１００ａの第１収容部１１０ａ内にＺ方向側から挿入され、第１ボディ１００ａの第１、第２当接部１２０ａ、１３０ａによってＹ−Ｙ’方向において位置固定されている。そのため、第２ボディ１００ｂがＹ’方向の荷重によって第１ボディ１００ａからＹ’方向側に脱落する可能性が低減される。
【００５０】
３）ロックアーム１３０ｂのＹ−Ｙ’方向の寸法を低減することができ、その結果、雌コネクタＣ１のＹ−Ｙ’方向の寸法を低減することができる。ロックアーム１３０ｂのロックアーム本体が断面視略横向きＵ字状であるためである。
【実施例２】
【００５１】
以下、本発明の実施例２を含む複数の実施例に係る雌コネクタＣ１と雄コネクタＣ２’の接続構造について図６を参照しつつ説明する。図６には実施例２に係る雌コネクタＣ１と雄コネクタＣ２’の接続構造が示されている。この接続構造では、雌コネクタＣ１は、上記した何れかの態様の雌コネクタＣ１と同じ構成であるが、雄コネクタＣ２’の構成が上記した雄コネクタＣ２の構成と相違している。以下、その相違点についてのみ詳しく説明し、雌コネクタＣ１と雄コネクタＣ２’の接続構造の説明のうち、雌コネクタＣ１と雄コネクタＣ２の接続構造と重複する説明については省略する。図６には、図５と同様にＹ−Ｙ’方向およびＺ−Ｚ’方向が示されている。
【００５２】
雄コネクタＣ２’は、ロック穴Ｃ２３に代えて、被ロック凸部Ｃ２３’を備えている点で、雄コネクタＣ２と相違している。
【００５３】
雌コネクタＣ１のロックアーム１３０ｂのロック凸部１３４ｂのロック位置は、ロック凸部１３４ｂが、雌コネクタＣ１の接続穴１０１内に挿入された雄コネクタＣ２の被ロック凸部Ｃ２３’にＹ’方向側から当接可能となる接続穴本体１１１ｂ内の位置である。ロック凸部１３４ｂの変位位置は、ロック位置よりもＺ方向側に位置し且つロック凸部１３４ｂと雄コネクタＣ２の被ロック凸部Ｃ２３’との当接が解除される位置である。
【００５４】
ロックアーム１３０ｂの先端面１３５ｂが上記１）の構成である場合、先端面１３５ｂの傾斜面１３５ｂ３は雄コネクタＣ２の被ロック凸部Ｃ２３’にＹ’方向側から当接可能である。一方、ロックアーム１３０ｂの先端面１３５ｂが上記２）または３）の構成である場合、先端面１３５ｂの傾斜面１３５ｂ３の接触部１３５ｂ３１が雄コネクタＣ２の被ロック凸部Ｃ２３’にＹ’方向側から当接可能である。
【００５５】
雄コネクタＣ２が雌コネクタＣ１の接続穴１０１内に挿入された状態で、雄コネクタＣ２がＹ’方向（脱方向）へ引っ張られると、雄コネクタＣ２の被ロック凸部Ｃ２３’がロックアーム１３０ｂのロック凸部１３４ｂをＹ’方向に押圧し、これによりロックアーム１３０ｂのロック凸部１３４ｂに対してＹ’方向の荷重がかかる。ロックアーム１３０ｂの先端面１３５ｂが傾斜面１３５ｂ３を有していない場合、ロック凸部１３４ｂに対して前記荷重がかかるときに、ロックアーム１３０ｂの少なくともロックアーム本体が雌コネクタＣ１の基部１２０ｂと雄コネクタＣ２の被ロック凸部Ｃ２３’との間で圧縮され、弾性変形する。ロックアーム１３０ｂの先端面１３５ｂが傾斜面１３５ｂ３を有する場合、ロック凸部１３４ｂに対して前記荷重がかかるときに、ロックアーム１３０ｂの少なくともロックアーム本体が、傾斜面１３５ｂ３がＹ’方向に変位するように、雌コネクタＣ１の基部１２０ｂと雄コネクタＣ２の被ロック凸部Ｃ２３’との間で圧縮され、弾性変形する。何れの場合も、少なくともロックアーム本体の弾性変形によって、前記荷重が吸収される。すなわち、前記荷重が、ロックアーム１３０ｂの第１アーム１３１ｂの第１自由端部１３１ｂ２をＺ方向に変位させ、これにより第１アーム１３１ｂを基部１２０ｂを支点として弾性変形させるように作用し難くなるので、ロックアーム１３０ｂのロック凸部１３４ｂと雄コネクタＣ２の被ロック凸部Ｃ２３’との当接が維持され易くなる。なお、前記荷重によりロックアーム１３０ｂ全体が弾性変形する構成としても構わない。
【００５６】
雌コネクタＣ１は、雄コネクタＣ２’に対して雄コネクタＣ２と同じように接続することができ、且つその接続を解除することができる。
【００５７】
以上のような雌コネクタＣ１と雄コネクタＣ２’の接続構造は、雌コネクタＣ１と雄コネクタＣ２の接続構造と同様の技術的特徴および効果を奏する。
【００５８】
なお、上記した雌コネクタおよび雄コネクタは、上記実施例に限定されるものではなく、特許請求の範囲の記載範囲において任意に設計変更することが可能である。以下、詳しく述べる。
【００５９】
本発明の雌コネクタのボディは、第１、第２ボディを備えている必要はなく、上記した何れかの態様の第１、第２ボディは一体的に構成されていても良い。
【００６０】
本発明の雌コネクタのロックアームは、第１アームの第１自由端部に、ロック凸部に代えて、ロック穴を設けることが可能である。この場合、本発明の雄コネクタは、雌コネクタの接続穴に挿入された状態で、雌コネクタのロックアームのロック穴に嵌合可能なロック凸部を上記ロック穴または被ロック凸部に代えて備えていると良い。本発明の第１アームおよび／または第２アームは、Ｚ−Ｚ’方向において傾斜していても良い。
【００６１】
なお、上記実施例の各態様および設計変形例における雌コネクタおよび雄コネクタの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明のＹ−Ｙ’方向は、本発明の雄コネクタの雌コネクタの接続穴に対する挿脱方向である限り任意に設定可能である。本発明のＺ−Ｚ’方向は、Ｙ−Ｙ’方向に交差する限り任意に設定可能である。本発明のＸ−Ｘ’方向は、Ｙ−Ｙ’方向およびＺ−Ｚ’方向に交差しており且つＹ−Ｙ’方向およびＺ−Ｚ’方向が位置する平面上に位置しない限り任意に設定することができる。
【符号の説明】
【００６２】
Ｃ１：雌コネクタ
１００：ボディ
１０１：接続穴
１００ａ：第１ボディ
１１０ａ：第１収容部
１２０ａ：第１当接部
１２１ａ：開口
１３０ａ：第２当接部
１３１ａ：第１穴部
１３２ａ：第２穴部
１００ｂ：第２ボディ
１１０ｂ：メインボディ
１１１ｂ：接続穴本体
１１２ｂ：スリット
１２０ｂ：基部
１３０ｂ：ロックアーム
１３１ｂ：第１アーム
１３１ｂ１：第１固定端部
１３１ｂ２：第１自由端部
１３２ｂ：中間部
１３３ｂ：第２アーム
１３３ｂ１：第２固定端部
１３３ｂ２：第２自由端部
１３４ｂ：ロック凸部
１３５ｂ：先端面
１３５ｂ１：先端
１３５ｂ２：遠端
１３５ｂ３：傾斜面
１３５ｂ３１：接触部
１４０ｂ：当て止め部
２００：シール
３００：端子
３１０：接触部
３２０：接続部
４００：ホルダ
５００：シェル
６００：ケーブル
Ｃ２、Ｃ２’：雄コネクタ
Ｃ２１：先端部
Ｃ２２：遠部
Ｃ２３：ロック穴
Ｃ２３’：被ロック凸部
Ｃ２４：端子
【図１】
2018195476.tif 000003
【図２Ａ】
2018195476.tif 000004
【図２Ｂ】
2018195476.tif 000005
【図２Ｃ】
2018195476.tif 000006
【図２Ｄ】
2018195476.tif 000007
【図２Ｅ】
2018195476.tif 000008
【図３】
2018195476.tif 000009
【図４Ａ】
2018195476.tif 000010
【図４Ｂ】
2018195476.tif 000011
【図５】
2018195476.tif 000012
【図６】
2018195476.tif 000013
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
メインボディ、基部およびロックアームを有するボディを備えており、
前記メインボディは、雄コネクタが挿脱可能な接続穴と、前記雄コネクタの挿入方向に延びており且つ前記接続穴に連通したスリットとを有しており、
前記基部は、前記メインボディの前記スリットに対して前記雄コネクタの脱方向側の部分に設けられており、前記脱方向は前記挿入方向の反対方向であり、
前記ロックアームは、第１アームと、中間部と、第２アームと、ロック凸部とを有しており、
前記第１アームは、前記接続穴に隣接するように前記基部から前記スリット内を前記挿入方向に延びており且つ第１自由端部を有しており、
前記ロック凸部は、前記第１アームの前記第１自由端部から前記接続穴側へ延びており且つ前記雄コネクタのロック穴に嵌合可能または前記雄コネクタの被ロック凸部に前記脱方向側から当接可能となるように前記接続穴内に位置しており、
前記中間部は、前記第１アームの前記第１自由端部から前記接続穴から離反するように延びており、
前記第２アームは、前記中間部から前記脱方向に延び且つ前記第１アームに対して間隔があいており、
前記ロック凸部が前記雄コネクタの前記ロック穴の前記挿入方向側の縁部または前記雄コネクタの前記被ロック凸部から前記脱方向に荷重を受けたときに、少なくとも前記第１アーム、前記中間部および前記第２アームが、前記基部と前記雄コネクタの前記縁部または前記被ロック凸部との間で圧縮される雌コネクタ。
【請求項２】
請求項１記載の雌コネクタにおいて、
前記ロックアームは、少なくとも前記ロック凸部に設けられた前記挿入方向側の先端面をさらに有しており、
前記先端面は、前記ロック凸部の前記挿入方向側の端面と前記ロック凸部の前記接続穴側の端面とによって構成されたエッジである先端と、前記先端よりも前記接続穴から遠くに位置する遠端と、前記遠端から前記先端まで前記挿入方向に下り傾斜した傾斜面とを有しており、
前記ロック凸部の前記傾斜面が前記雄コネクタの前記ロック穴の前記縁部または前記雄コネクタの前記被ロック凸部から前記脱方向に荷重を受けたときに、前記傾斜面が前記脱方向に変位するように、少なくとも前記第１アーム、前記中間部および前記第２アームが、前記基部と前記雄コネクタの前記縁部または前記被ロック凸部との間で圧縮される雌コネクタ。
【請求項３】
請求項２記載の雌コネクタにおいて、
前記先端面は、前記ロック凸部および前記第１自由端部、または前記ロック凸部、前記第１自由端部および前記中間部に設けられており、
前記先端面の前記遠端は、前記第１自由端部または前記中間部に設けられており、
前記先端面の前記傾斜面は、前記ロック凸部の前記挿入方向側の端面である接触部を有しており、
前記ロック凸部の前記接触部が前記雄コネクタの前記ロック穴の前記縁部または前記雄コネクタの前記被ロック凸部から前記脱方向に荷重を受けたときに、前記傾斜面が前記脱方向に変位するように、少なくとも前記第１アーム、前記中間部および前記第２アームが、前記基部と前記雄コネクタの前記縁部または前記被ロック凸部との間で圧縮される雌コネクタ。
【請求項４】
請求項１〜３の何れかに記載の雌コネクタにおいて、
前記第２アームは第２自由端部を有しており、前記第２自由端部は前記第１アーム
または前記基部に間隙を有して対向しており、
前記第２自由端部が前記接続穴側に押下されることにより、前記第２アームは、前記第２自由端部が前記第１アームおよび前記基部の少なくとも一方に当接するまで弾性変形すると共に、前記第１アームは、前記基部を支点として前記第１自由端部および前記ロック凸部が前記接続穴から離反するように弾性変形する雌コネクタ。
【請求項５】
請求項１〜４の何れかに記載の雌コネクタと、
雄コネクタとを備えており、
前記雄コネクタは、ロック穴または被ロック凸部を有しており、
前記雄コネクタが前記雌コネクタの前記接続穴内に挿入された状態で、前記雌コネクタの前記ロック凸部が前記雄コネクタの前記ロック穴に嵌合する、または前記雌コネクタの前記ロック凸部が前記雄コネクタの前記被ロック凸部に前記脱方向側から当接しており、
前記雌コネクタの前記ロック凸部が前記雄コネクタの前記ロック穴の前記挿入方向側の縁部または前記雄コネクタの前記被ロック凸部から前記脱方向に荷重を受けたときに、前記雌コネクタの前記ロックアームの少なくとも前記第１アーム、前記中間部および前記第２アームが、前記基部と前記雄コネクタの前記縁部または前記被ロック凸部との間で圧縮されるコネクタの接続構造。
【手続補正２】
【補正対象書類名】明細書
【補正対象項目名】０００３
【補正方法】変更
【補正の内容】
【０００３】
ロックアームは、基部と、板バネと、操作レバーとを有している。基部は、雄ボディの脱方向の端部から立ち上がっている。板バネは基部から挿入方向に延びており且つ雄ボディと間隙を有して対向配置されている。板バネの自由端部にロック穴が設けられている。雄コネクタが雌コネクタの接続穴に挿入された状態で、雌コネクタの接続穴の上側の壁部および凸部が板バネと雄ボディとの間の間隙に挿入され且つ凸部が板バネのロック穴に嵌合する。操作レバーは、平面視略Ｕ字状であって、その二つの先端部が板バネの自由端部の幅方向の両端に固定されている。操作レバーは、板バネの自由端部から斜め上に傾斜しつつ脱方向に延びている。操作レバーの頂部が下方向に押下されると、基部を支点に板バネの自由端部が上方に変位するように、ロックアームが弾性変形し、係合された雌コネクタの凸部と板バネのロック穴との嵌合が解除されるようになっている。操作レバーの頂部が開放されると、ロックアームが復元し、板バネの自由端部が下方に変位する。
【手続補正３】
【補正対象書類名】明細書
【補正対象項目名】０００５
【補正方法】変更
【補正の内容】
【０００５】
雄コネクタのロックアームの板バネが挿入方向に延びており、ロック穴が上下に変位可能な板バネの自由端部に設けられている。このため、雄コネクタが脱方向に引っ張られると、雌コネクタの凸部が雄コネクタの板バネのロック穴の挿入方向側の縁部を押圧することによって、板バネの自由端部が上方に押し上げられ易く、雌コネクタの凸部と雄コネクタのロック穴との嵌合が不用意に解除される恐れがある。
【手続補正４】
【補正対象書類名】明細書
【補正対象項目名】００５３
【補正方法】変更
【補正の内容】
【００５３】
雌コネクタＣ１のロックアーム１３０ｂのロック凸部１３４ｂのロック位置は、ロック凸部１３４ｂが、雌コネクタＣ１の接続穴１０１内に挿入された雄コネクタＣ２’の被ロック凸部Ｃ２３’にＹ’方向側から当接可能となる接続穴本体１１１ｂ内の位置である。ロック凸部１３４ｂの変位位置は、ロック位置よりもＺ方向側に位置し且つロック凸部１３４ｂと雄コネクタＣ２’の被ロック凸部Ｃ２３’との当接が解除される位置である。
【手続補正５】
【補正対象書類名】明細書
【補正対象項目名】００５４
【補正方法】変更
【補正の内容】
【００５４】
ロックアーム１３０ｂの先端面１３５ｂが上記１）の構成である場合、先端面１３５ｂの傾斜面１３５ｂ３は雄コネクタＣ２’の被ロック凸部Ｃ２３’にＹ’方向側から当接可能である。一方、ロックアーム１３０ｂの先端面１３５ｂが上記２）または３）の構成である場合、先端面１３５ｂの傾斜面１３５ｂ３の接触部１３５ｂ３１が雄コネクタＣ２’の被ロック凸部Ｃ２３’にＹ’方向側から当接可能である。
【手続補正６】
【補正対象書類名】明細書
【補正対象項目名】００５５
【補正方法】変更
【補正の内容】
【００５５】
雄コネクタＣ２’が雌コネクタＣ１の接続穴１０１内に挿入された状態で、雄コネクタＣ２’がＹ’方向（脱方向）へ引っ張られると、雄コネクタＣ２’の被ロック凸部Ｃ２３’がロックアーム１３０ｂのロック凸部１３４ｂをＹ’方向に押圧し、これによりロックアーム１３０ｂのロック凸部１３４ｂに対してＹ’方向の荷重がかかる。ロックアーム１３０ｂの先端面１３５ｂが傾斜面１３５ｂ３を有していない場合、ロック凸部１３４ｂに対して前記荷重がかかるときに、ロックアーム１３０ｂの少なくともロックアーム本体が雌コネクタＣ１の基部１２０ｂと雄コネクタＣ２’の被ロック凸部Ｃ２３’との間で圧縮され、弾性変形する。ロックアーム１３０ｂの先端面１３５ｂが傾斜面１３５ｂ３を有する場合、ロック凸部１３４ｂに対して前記荷重がかかるときに、ロックアーム１３０ｂの少なくともロックアーム本体が、傾斜面１３５ｂ３がＹ’方向に変位するように、雌コネクタＣ１の基部１２０ｂと雄コネクタＣ２’の被ロック凸部Ｃ２３’との間で圧縮され、弾性変形する。何れの場合も、少なくともロックアーム本体の弾性変形によって、前記荷重が吸収される。すなわち、前記荷重が、ロックアーム１３０ｂの第１アーム１３１ｂの第１自由端部１３１ｂ２をＺ方向に変位させ、これにより第１アーム１３１ｂを基部１２０ｂを支点として弾性変形させるように作用し難くなるので、ロックアーム１３０ｂのロック凸部１３４ｂと雄コネクタＣ２’の被ロック凸部Ｃ２３’との当接が維持され易くなる。なお、前記荷重によりロックアーム１３０ｂ全体が弾性変形する構成としても構わない。